(57)【要約】【課題】大型の撮像素子に対応できる光学性能を確保しつつ、軽量かつ低コストのテレコンバーターレンズとする。【解決手段】物体側から順に、正の屈折力を有する前群Ｇ１と、負の屈折力を有する後群Ｇ２とからなり、前群Ｇ１と後群Ｇ２は、最も広い空気間隔で隔てられ、前群Ｇ１は、物体側に凸面を向けた１枚の正レンズＬ１１からなり、後群Ｇ２は、物体側から順に、像側に凹面を向けた負レンズと、物体側に凸面を向けた正レンズとを有するものとする。【選択図】図１
2015148732.tif 000002
【特許請求の範囲】
【請求項１】
マスターレンズの物体側に装着するテレコンバーターレンズであって、
物体側から順に、正の屈折力を有する前群と、負の屈折力を有する後群とから実質的になり、
前記前群と前記後群は、最も広い空気間隔で隔てられ、
前記前群は、物体側に凸面を向けた１枚の正レンズから実質的になり、
前記後群は、物体側から順に、像側に凹面を向けた負レンズと、物体側に凸面を向けた正レンズとを有する
ことを特徴とするテレコンバーターレンズ。
【請求項２】
下記条件式（１）を満足する
請求項１記載のテレコンバーターレンズ。
５５＜νｄ１ｐ  …（１）
ただし、
νｄ１ｐ：前記前群の正レンズのアッベ数
【請求項３】
前記後群は、少なくとも２枚の負レンズを有する
請求項１または２記載のテレコンバーターレンズ。
【請求項４】
前記前群は、物体側に凸面を向けた１枚の正メニスカスレンズから実質的になる
請求項１から３のいずれか１項記載のテレコンバーターレンズ。
【請求項５】
前記後群は、物体側から順に、２枚の像側に凹面を向けた負メニスカスレンズと、１枚の物体側に凸面を向けた正レンズとから実質的になる
請求項１から４のいずれか１項記載のテレコンバーターレンズ。
【請求項６】
下記条件式（２）を満足する
請求項１から５のいずれか１項記載のテレコンバーターレンズ。
３＜νｄ２ｎ２−νｄ２ｎ１  …（２）
ただし、
νｄ２ｎ１：前記後群の負レンズのうち１枚の負レンズのアッベ数
νｄ２ｎ２：前記νｄ２ｎ１の対象レンズより像側の負レンズのアッベ数
【請求項７】
下記条件式（３）を満足する
請求項１から６のいずれか１項記載のテレコンバーターレンズ。
νｄ２ｐ＜４５  …（３）
ただし、
νｄ２ｐ：前記後群の正レンズのうちアッベ数の最も小さいレンズのアッベ数
【請求項８】
下記条件式（４）を満足する
請求項１から７のいずれか１項記載のテレコンバーターレンズ。
３０＜νｄ２ｎ  …（４）
ただし、
νｄ２ｎ：前記後群の負レンズのうちアッベ数の最も大きいレンズのアッベ数
【請求項９】
下記条件式（５）を満足する
請求項１から８のいずれか１項記載のテレコンバーターレンズ。
０．２０＜ＤＤ／ＤＳＵＭ  …（５）
ただし、
ＤＤ：前記前群の最も像側の面から前記後群の最も物体側の面までの距離 
ＤＳＵＭ：前記前群の最も物体側の面から前記後群の最も像側の面までの距離
【請求項１０】
下記条件式（１−１）を満足する
請求項１から９のいずれか１項記載のテレコンバーターレンズ。
６０＜νｄ１ｐ  …（１−１）
ただし、
νｄ１ｐ：前記前群の正レンズのアッベ数
【請求項１１】
下記条件式（２−１）を満足する
請求項１から１０のいずれか１項記載のテレコンバーターレンズ。
９＜νｄ２ｎ２−νｄ２ｎ１  …（２−１）
ただし、
νｄ２ｎ１：前記後群の負レンズのうち１枚の負レンズのアッベ数
νｄ２ｎ２：前記νｄ２ｎ１の対象レンズより像側の負レンズのアッベ数
【請求項１２】
下記条件式（３−１）を満足する
請求項１から１１のいずれか１項記載のテレコンバーターレンズ。
νｄ２ｐ＜４０  …（３−１）
ただし、
νｄ２ｐ：前記後群の正レンズのうちアッベ数の最も小さいレンズのアッベ数
【請求項１３】
下記条件式（４−１）を満足する
請求項１から１２のいずれか１項記載のテレコンバーターレンズ。
３５＜νｄ２ｎ  …（４−１）
ただし、
νｄ２ｎ：前記後群の負レンズのうちアッベ数の最も大きいレンズのアッベ数
【請求項１４】
下記条件式（５−１）を満足する
請求項１から１３のいずれか１項記載のテレコンバーターレンズ。
０．２８＜ＤＤ／ＤＳＵＭ  …（５−１）
ただし、
ＤＤ：前記前群の最も像側の面から前記後群の最も物体側の面までの距離 
ＤＳＵＭ：前記前群の最も物体側の面から前記後群の最も像側の面までの距離
【請求項１５】
請求項１から１４のいずれか１項記載のテレコンバーターレンズを備えた撮像装置。
【発明の詳細な説明】
【技術分野】
【０００１】
本発明は、特に電子カメラ等の撮影レンズ（マスターレンズ）の前方（物体側）に装着し、撮影レンズ全体の焦点距離を長い方に変換するテレコンバーターレンズおよび該テレコンバーターレンズを備えた撮像装置に関するものである。
【背景技術】
【０００２】
撮影レンズの物体側に装着して全系の焦点距離を長い方へ変換するいわゆるフロントテレコンバーターレンズとして、例えば、特許文献１のように、正の屈折力を有する前群に含まれる正レンズを２枚とした構成が知られている。また、前群、後群共に正レンズ、負レンズを用いて、各群にて色消しを行った構成として、特許文献２〜４が知られている。
【先行技術文献】
【特許文献】
【０００３】
【特許文献１】特開２００５−３３１８５１号公報
【特許文献２】特開２００４−２６４６６９号公報
【特許文献３】特開２００８−０７０４３３号公報
【特許文献４】特開２０１２−１２３０３２号公報
【発明の開示】
【発明が解決しようとする課題】
【０００４】
近年では、デジタルカメラ、ビデオカメラにおいてＣＣＤやＣＭＯＳセンサ等の固体撮像素子の高画素化が進んでいるため、撮影レンズには色収差を含めて高い光学性能が要求されると共に、軽量化も進んでいるため、マスターレンズに装着するテレコンバーターレンズにも、高い光学性能の実現と軽量化とが要求されている。また、テレコンバーターレンズにおいては、マスターレンズの物体側に挿入することから、マスターレンズより大きなレンズ径を持つことが必然となり、テレコンバーターレンズ自体の軽量化とコスト削減が課題となる。
【０００５】
ここで、特許文献１〜４に記載のテレコンバーターレンズは、共通して正の屈折力を有する前群を複数枚のレンズで構成しており優れた性能を確保しているが、大口径となる前群が複数枚のレンズからなることから、重量の面でもコストの面でも不利となっている。
【０００６】
本発明は上記事情に鑑みなされたものであり、大型の撮像素子に対応できる光学性能を確保しつつ、軽量かつ低コストのテレコンバーターレンズおよび該テレコンバーターレンズを備えた撮像装置を提供することを目的とするものである。
【課題を解決するための手段】
【０００７】
本発明のテレコンバーターレンズは、マスターレンズの物体側に装着するテレコンバーターレンズであって、物体側から順に、正の屈折力を有する前群と、負の屈折力を有する後群とから実質的になり、前群と後群は、最も広い空気間隔で隔てられ、前群は、物体側に凸面を向けた１枚の正レンズから実質的になり、後群は、物体側から順に、像側に凹面を向けた負レンズと、物体側に凸面を向けた正レンズとを有するものである。
【０００８】
本発明のテレコンバーターレンズにおいては、下記条件式（１）を満足することが好ましい。
【０００９】
５５＜νｄ１ｐ  …（１）
ただし、νｄ１ｐ：前群の正レンズのアッベ数とする。
【００１０】
また、後群は、少なくとも２枚の負レンズを有することが好ましい。
【００１１】
また、前群は、物体側に凸面を向けた１枚の正メニスカスレンズから実質的になることが好ましい。
【００１２】
また、後群は、物体側から順に、２枚の像側に凹面を向けた負メニスカスレンズと、１枚の物体側に凸面を向けた正レンズとから実質的になることが好ましい。
【００１３】
また、下記条件式（２）を満足することが好ましい。
【００１４】
３＜νｄ２ｎ２−νｄ２ｎ１  …（２）
ただし、νｄ２ｎ１：後群の負レンズのうち１枚の負レンズのアッベ数、νｄ２ｎ２：νｄ２ｎ１の対象レンズより像側の負レンズのアッベ数とする。
【００１５】
また、下記条件式（３）を満足することが好ましい。
【００１６】
νｄ２ｐ＜４５  …（３）
ただし、νｄ２ｐ：後群の正レンズのうちアッベ数の最も小さいレンズのアッベ数とする。
【００１７】
また、下記条件式（４）を満足することが好ましい。
【００１８】
３０＜νｄ２ｎ  …（４）
ただし、νｄ２ｎ：後群の負レンズのうちアッベ数の最も大きいレンズのアッベ数とする。
【００１９】
また、下記条件式（５）を満足することが好ましい。
【００２０】
０．２０＜ＤＤ／ＤＳＵＭ  …（５）
ただし、ＤＤ：前群の最も像側の面から後群の最も物体側の面までの距離、ＤＳＵＭ：前群の最も物体側の面から後群の最も像側の面までの距離とする。
【００２１】
また、下記条件式（１−１）を満足することが好ましい。
【００２２】
６０＜νｄ１ｐ  …（１−１）
また、下記条件式（２−１）を満足することが好ましい。
【００２３】
９＜νｄ２ｎ２−νｄ２ｎ１  …（２−１）
また、下記条件式（３−１）を満足することが好ましい。
【００２４】
νｄ２ｐ＜４０  …（３−１）
また、下記条件式（４−１）を満足することが好ましい。
【００２５】
３５＜νｄ２ｎ  …（４−１）
また、下記条件式（５−１）を満足することが好ましい。
【００２６】
０．２８＜ＤＤ／ＤＳＵＭ  …（５−１）
本発明の撮像装置は、上記記載の本発明のテレコンバーターレンズを備えたものである。
【００２７】
なお、上記「〜から実質的になり、」とは、構成要素として挙げたもの以外に、実質的にパワーを有さないレンズ、絞りやマスクやカバーガラスやフィルタ等のレンズ以外の光学要素、レンズフランジ、レンズバレル、撮像素子、手ぶれ補正機構等の機構部分、等を含んでもよいことを意図するものである。
【００２８】
また、上記のレンズの面形状や屈折力の符号は、非球面が含まれている場合は近軸領域で考えるものとする。
【発明の効果】
【００２９】
本発明のテレコンバーターレンズは、マスターレンズの物体側に装着するテレコンバーターレンズであって、物体側から順に、正の屈折力を有する前群と、負の屈折力を有する後群とから実質的になり、前群と後群は、最も広い空気間隔で隔てられ、前群は、物体側に凸面を向けた１枚の正レンズから実質的になり、後群は、物体側から順に、像側に凹面を向けた負レンズと、物体側に凸面を向けた正レンズとを有するものとしたので、大型の撮像素子に対応できる光学性能を確保しつつ、軽量かつ低コストのテレコンバーターレンズとすることが可能となる。
【００３０】
また、本発明の撮像装置は、本発明のテレコンバーターレンズを備えているため、高画質でありながら軽量かつ低コストの装置とすることができる。
【図面の簡単な説明】
【００３１】
【図１】本発明の一実施形態にかかるテレコンバーターレンズ（実施例１と共通）のレンズ構成を示す断面図
【図２】本発明の実施例２のテレコンバーターレンズのレンズ構成を示す断面図
【図３】本発明の実施例３のテレコンバーターレンズのレンズ構成を示す断面図
【図４】本発明の実施例１のテレコンバーターレンズをマスターレンズに付けた時の各収差図
【図５】本発明の実施例２のテレコンバーターレンズをマスターレンズに付けた時の各収差図
【図６】本発明の実施例３のテレコンバーターレンズをマスターレンズに付けた時の各収差図
【図７】本発明の実施形態にかかる撮像装置の概略構成図
【発明を実施するための形態】
【００３２】
以下、本発明の実施形態について図面を参照して詳細に説明する。図１は本発明の一実施形態にかかるテレコンバーターレンズのレンズ構成を示す断面図である。図１に示す構成例は、後述の実施例１のテレコンバーターレンズの構成と共通である。なお、図１においては、左側が物体側、右側が像側である。また、本実施形態のテレコンバーターレンズと組み合わせるマスターレンズについても併せて例示している。
【００３３】
図１に示すように、このテレコンバーターレンズＴＣは、マスターレンズＭＬの物体側に装着するものであって、光軸Ｚに沿って、物体側から順に、正の屈折力を有する前群Ｇ１と、負の屈折力を有する後群Ｇ２とからなり、前群Ｇ１と後群Ｇ２は、最も広い空気間隔で隔てられ、前群Ｇ１は、物体側に凸面を向けた１枚の正レンズＬ１１からなり、後群Ｇ２は、物体側から順に、像側に凹面を向けた負レンズと、物体側に凸面を向けた正レンズとを有するものである。
【００３４】
テレコンバーターレンズＴＣと組み合わせるマスターレンズＭＬは、レンズＬ３１〜Ｌ３８からなるものである。テレコンバーターレンズＴＣおよびマスターレンズＭＬを撮像装置に適用する際には、レンズを装着するカメラ側の構成に応じて、光学系と像面Ｓｉｍの間にカバーガラス、プリズム、赤外線カットフィルタやローパスフィルタなどの各種フィルタを配置することが好ましいため、図１では、これらを想定した平行平面板状の光学部材ＰＰをレンズ系と像面Ｓｉｍとの間に配置した例を示している。
【００３５】
物体側から順に、正の屈折力を有する前群Ｇ１と、負の屈折力を有する後群Ｇ２とからなるテレコンバーターレンズＴＣにおいて、前群Ｇ１と後群Ｇ２が有するレンズ構成を好適に設定しているため、球面収差や色収差を始めとする諸収差が良好に補正された、高い光学性能を有するテレコンバーターレンズＴＣとすることができる。
【００３６】
また、テレコンバーターレンズＴＣは、空気間隔を隔てて、前群Ｇ１に正、後群Ｇ２に負を配置することが必須であるが、大口径となる前群Ｇ１を１枚の正レンズＬ１１のみで構成することにより、低コストおよび軽量化を実現している。
【００３７】
また、後群Ｇ２に負レンズと正レンズを設けることで、軸上色収差と倍率色収差の両方ともに良好に補正することができる。
【００３８】
本実施形態のテレコンバーターレンズにおいては、下記条件式（１）を満足することが好ましい。この条件式（１）を満足することで、前群Ｇ１を１枚の正レンズＬ１１のみで構成した場合でも、特に軸上色収差を良好に補正しつつ、軸上色収差と倍率色収差の両方ともに良好に補正することが可能となる。なお、下記条件式（１−１）を満足するものとすれば、より良好な特性とすることができる。
【００３９】
５５＜νｄ１ｐ  …（１）
６０＜νｄ１ｐ  …（１−１）
ただし、νｄ１ｐ：前群の正レンズのアッベ数とする。
【００４０】
また、後群Ｇ２は、少なくとも２枚の負レンズを有することが好ましい。この後群Ｇ２は全体として負の屈折力を有するので、中に含まれる負レンズは２枚以上として球面収差や像面湾曲の補正を分担することで、良好な特性とすることができる。
【００４１】
また、前群Ｇ１は、物体側に凸面を向けた１枚の正メニスカスレンズＬ１１からなることが好ましい。マスターレンズＭＬの絞りＳｔが前群Ｇ１の正レンズＬ１１の像側に配されることから、画角変化に対して光線を強く曲げないように、前群Ｇ１の正レンズＬ１１を物体側に凸面を向けたメニスカスレンズとすることで、非点収差の発生を抑えることができる。
【００４２】
また、後群Ｇ２は、物体側から順に、２枚の像側に凹面を向けた負メニスカスレンズＬ２１，Ｌ２２と、１枚の物体側に凸面を向けた正レンズＬ２３とからなることが好ましい。マスターレンズＭＬの絞りＳｔが後群Ｇ２の各レンズの像側に配されることから、画角変化に対して光線を強く曲げないように、後群Ｇ２の２枚の負レンズＬ２１，Ｌ２２を像側に凹面を向けた負メニスカスレンズとし、正レンズＬ２３を物体側に凸面を向けた正レンズとすることで、非点収差の発生を抑えることができる。
【００４３】
また、下記条件式（２）を満足することが好ましい。この条件式（２）を満足することで、前群Ｇ１を正レンズ１枚で構成したときに困難となる軸上色収差と倍率色収差のバランスを良好に保つことができる。なお、下記条件式（２−１）を満足するものとすれば、より良好な特性とすることができる。
【００４４】
３＜νｄ２ｎ２−νｄ２ｎ１  …（２）
９＜νｄ２ｎ２−νｄ２ｎ１  …（２−１）
ただし、νｄ２ｎ１：後群の負レンズのうち１枚の負レンズのアッベ数、νｄ２ｎ２：νｄ２ｎ１の対象レンズより像側の負レンズのアッベ数とする。
【００４５】
また、下記条件式（３）を満足することが好ましい。この条件式（３）を満足することで、前群Ｇ１を正レンズ１枚で構成したときに困難となる軸上色収差と倍率色収差のバランスを良好に保つことができる。なお、下記条件式（３−１）を満足するものとすれば、より良好な特性とすることができる。
【００４６】
νｄ２ｐ＜４５  …（３）
νｄ２ｐ＜４０  …（３−１）
ただし、νｄ２ｐ：後群の正レンズのうちアッベ数の最も小さいレンズのアッベ数とする。
【００４７】
また、下記条件式（４）を満足することが好ましい。この条件式（４）を満足することで、前群Ｇ１を正レンズ１枚で構成したときに困難となる軸上色収差と倍率色収差のバランスを良好に保つことができる。なお、下記条件式（４−１）を満足するものとすれば、より良好な特性とすることができる。
【００４８】
３０＜νｄ２ｎ  …（４）
３５＜νｄ２ｎ  …（４−１）
ただし、νｄ２ｎ：後群の負レンズのうちアッベ数の最も大きいレンズのアッベ数とする。
【００４９】
また、下記条件式（５）を満足することが好ましい。この条件式（５）を満足することで、後群Ｇ２のレンズが前群Ｇ１より離れて後群Ｇ２の外径を小さくすることができるため、軽量化および低コスト化を図ることができる。なお、下記条件式（５−１）を満足するものとすれば、より良好な特性とすることができる。
【００５０】
０．２０＜ＤＤ／ＤＳＵＭ  …（５）
０．２８＜ＤＤ／ＤＳＵＭ  …（５−１）
ただし、ＤＤ：前群の最も像側の面から後群の最も物体側の面までの距離、ＤＳＵＭ：前群の最も物体側の面から後群の最も像側の面までの距離とする。
【００５１】
本テレコンバーターレンズにおいて、最も物体側に配置される材料としては、具体的にはガラスを用いることが好ましく、あるいは透明なセラミックスを用いてもよい。
【００５２】
また、本テレコンバーターレンズが厳しい環境において使用される場合には、保護用の多層膜コートが施されることが好ましい。さらに、保護用コート以外にも、使用時のゴースト光低減等のための反射防止コートを施すようにしてもよい。
【００５３】
また、図１に示す例では、レンズ系と像面Ｓｉｍとの間に光学部材ＰＰを配置した例を示したが、ローパスフィルタや特定の波長域をカットするような各種フィルタ等をレンズ系と像面Ｓｉｍとの間に配置する代わりに、各レンズの間にこれらの各種フィルタを配置してもよく、あるいは、いずれかのレンズのレンズ面に、各種フィルタと同様の作用を有するコートを施してもよい。
【００５４】
次に、本発明のテレコンバーターレンズの数値実施例について説明する。
【００５５】
まず、実施例１のテレコンバーターレンズについて説明する。実施例１のテレコンバーターレンズのレンズ構成を示す断面図を図１に示す。なお、図１および後述の実施例２，３に対応した図２，３においては、左側が物体側、右側が像側である。また、各実施例のテレコンバーターレンズと組み合わせるマスターレンズについても併せて例示しており、マスターレンズ中の絞りＳｔは必ずしも大きさや形状を表すものではなく、光軸Ｚ上の位置を示すものである。
【００５６】
実施例１のテレコンバーターレンズのレンズデータを表１に、諸元に関するデータを表２に示す。また、マスターレンズのレンズデータを表７に、非球面係数に関するデータを表８に示す。なお、マスターレンズについては実施例１〜３において同じものを例示している。以下では、表中の記号の意味について、実施例１のものを例にとり説明するが、実施例２，３についても基本的に同様である。
【００５７】
表１および表７のレンズデータにおいて、面番号の欄には最も物体側の構成要素の面を１番目として像側に向かうに従い順次増加する面番号を示し、曲率半径の欄には各面の曲率半径を示し、間隔の欄には各面とその次の面との光軸Ｚ上の間隔を示す。また、ｎｄの欄には各光学要素のｄ線（波長５８７．６ｎｍ）に対する屈折率を示し、νｄの欄には各光学要素のｄ線（波長５８７．６ｎｍ）に対するアッベ数を示す。
【００５８】
なお、曲率半径の符号は、面形状が物体側に凸の場合を正、像側に凸の場合を負としている。マスターレンズのレンズデータには、絞りＳｔも含めて示している。絞りＳｔに相当する面の面番号の欄には面番号とともに（絞り）という語句を記載している。
【００５９】
表２の諸元に関するデータに、アフォーカル倍率、全画角２ω、Ｆ値Ｆｎｏの値を示す。
【００６０】
表７のマスターレンズのレンズデータでは、非球面の面番号に＊印を付しており、非球面の曲率半径として近軸の曲率半径の数値を示している。表８の非球面係数に関するデータには、非球面の面番号と、これら非球面に関する非球面係数を示す。非球面係数は、以下の式（Ａ）で表される非球面式における各係数Ｋ、Ａｍ（ｍ＝３、４、５、…２０）の値である。
【００６１】
Ｚｄ＝Ｃ・ｈ２／｛１＋（１−Ｋ・Ｃ２・ｈ２）１/２｝＋ΣＡｍ・ｈｍ  …（Ａ）
ただし、
Ｚｄ：非球面深さ（高さｈの非球面上の点から、非球面頂点が接する光軸に垂直な平面に
下ろした垂線の長さ）
ｈ：高さ（光軸からの距離）
Ｃ：近軸曲率半径の逆数
Ｋ、Ａｍ：非球面係数（ｍ＝３、４、５、…２０）
レンズデータおよび式データにおいて、角度の単位としては度を用い、長さの単位としてはｍｍを用いているが、光学系は比例拡大又は比例縮小しても使用可能なため他の適当な単位を用いることもできる。
【００６２】
【表１】
2015148732.tif 000003
【００６３】
【表２】
2015148732.tif 000004
【００６４】
【表７】
2015148732.tif 000005
【００６５】
【表８】
2015148732.tif 000006
【００６６】
実施例１のテレコンバーターレンズをマスターレンズに付けた時の各収差図を図４に示す。なお、図４中の左側から順に球面収差、非点収差、ディストーション、倍率色収差を示す。球面収差、非点収差、ディストーションを表す各収差図には、ｄ線（波長５８７．６ｎｍ）を基準波長とした収差を示す。球面収差図にはｄ線（波長５８７．６ｎｍ）、Ｃ線(波長６５６．３ｎｍ)、ｇ線(波長４３５．８ｎｍ)についての収差をそれぞれ実線、点線、一点鎖線で示す。非点収差図にはサジタル方向、タンジェンシャル方向の収差をそれぞれ実線と点線で示す。倍率色収差図にはＣ線(波長６５６．３ｎｍ)、ｇ線(波長４３５．８ｎｍ)についての収差をそれぞれ点線、一点鎖線で示す。なお、球面収差図のＦｎｏ．はＦ値、その他の収差図のωは半画角を意味する。
【００６７】
次に、実施例２のテレコンバーターレンズについて説明する。実施例２のテレコンバーターレンズのレンズ構成を示す断面図を図２に示す。また、実施例２のテレコンバーターレンズのレンズデータを表３に、諸元に関するデータを表４に、実施例２のテレコンバーターレンズをマスターレンズに付けた時の各収差図を図５に示す。
【００６８】
【表３】
2015148732.tif 000007
【００６９】
【表４】
2015148732.tif 000008
【００７０】
次に、実施例３のテレコンバーターレンズについて説明する。実施例３のテレコンバーターレンズのレンズ構成を示す断面図を図３に示す。また、実施例３のテレコンバーターレンズのレンズデータを表５に、諸元に関するデータを表６に、実施例３のテレコンバーターレンズをマスターレンズに付けた時の各収差図を図６に示す。
【００７１】
【表５】
2015148732.tif 000009
【００７２】
【表６】
2015148732.tif 000010
【００７３】
実施例１〜３のテレコンバーターレンズの条件式（１）〜（５）に対応する値を表９に示す。なお、全実施例ともｄ線を基準波長としており、下記の表９に示す値はこの基準波長におけるものである。
【００７４】
【表９】
2015148732.tif 000011
【００７５】
以上のデータから、実施例１〜３のテレコンバーターレンズは全て、条件式（１）〜（５）を満たしており、大型の撮像素子に対応できる光学性能を確保しつつ、軽量かつ低コストのテレコンバーターレンズであることが分かる。
【００７６】
次に、本発明の実施形態にかかる撮像装置について説明する。図７に、本発明の実施形態の撮像装置の一例として、本発明の実施形態のテレコンバーターレンズを用いた撮像装置の概略構成図を示す。なお、図７では各レンズ群を概略的に示している。この撮像装置としては、例えば、ＣＣＤやＣＭＯＳ等の固体撮像素子を記録媒体とするビデオカメラや電子スチルカメラ等を挙げることができる。
【００７７】
図７に示す撮像装置１０は、テレコンバーターレンズＴＣおよびマスターレンズＭＬからなる撮像レンズと、撮像レンズの像側に配置されたローパスフィルタ等の機能を有するフィルタ６と、フィルタ６の像側に配置された撮像素子７と、信号処理回路８とを備えている。
【００７８】
テレコンバーターレンズＴＣは、マスターレンズＭＬに対して着脱可能に構成されている。撮像素子７は撮像レンズにより形成される光学像を電気信号に変換するものであり、例えば、撮像素子７としては、ＣＣＤ（Charge Coupled Device）やＣＭＯＳ（Complementary Metal Oxide Semiconductor）等を用いることができる。撮像素子７は、その撮像面が撮像レンズの像面に一致するように配置される。撮像レンズにより撮像された像は撮像素子７の撮像面上に結像し、その像に関する撮像素子７からの出力信号が信号処理回路８にて演算処理され、表示装置９に像が表示される。
【００７９】
以上、実施形態および実施例を挙げて本発明を説明したが、本発明は上記実施形態および実施例に限定されず、種々の変形が可能である。例えば、各レンズ成分の曲率半径、面間隔、屈折率、アッベ数等の値は、上記各数値実施例で示した値に限定されず、他の値をとり得るものである。
【符号の説明】
【００８０】
６    フィルタ
７    撮像素子
８    信号処理回路
９    表示装置
１０    撮像装置
Ｇ１    前群
Ｇ２    後群
Ｌ１１〜Ｌ３８    レンズ
ＭＬ    マスターレンズ
ＰＰ    光学部材
Ｓｉｍ    像面
Ｓｔ    開口絞り
ＴＣ    テレコンバーターレンズ
Ｚ    光軸
【図１】
2015148732.tif 000012
【図２】
2015148732.tif 000013
【図３】
2015148732.tif 000014
【図４】
2015148732.tif 000015
【図５】
2015148732.tif 000016
【図６】
2015148732.tif 000017
【図７】
2015148732.tif 000018